(57)【要約】【課題】  従来の植木鉢は、室内では給水した余剰水を水受け皿で収容し、室外では給水した余剰水が水受け皿に溜り、季節によっては、水が腐敗して衛生上水受け皿の管理に問題があった。また、植物の観賞環境によっては、植木鉢の転倒や植物の無い植木鉢内の残培土は風などにより飛び散りやすい問題がある。【解決手段】  植木鉢本体側面にアー厶で水受け皿を接合する。植木鉢に給水した余剰水を受ける場合は、水受け皿として使用する。植木鉢の転倒を防ぐには、水受け皿を植木鉢本体の前側面部に回転移動すれば、植木鉢の転倒防止スタンドとなる。また、水受け皿の裏面部に写真や絵柄を装飾して前側面部に移動すれば、インテリア効果も実現することができる。培土の吹き飛ばし防ぐには、水受け皿を植木鉢本体の上部まで回転して被せることにより植木鉢の蓋とすることができる。また、蓋はアーム付きなのでズレ落ち難い。【選択図】  図１
2005160454.tif 000002
【特許請求の範囲】
【請求項１】
容器の側面に接合した留め具に結合されたアームが円運動による回転でアームの先端に接合されている受け皿が０°以上３６０°回転することを特徴とするアーム付き受け皿およびその類似品。
【請求項２】
容器本体と容器受け皿をアームで結合することで構成されている請求項１に記載の容器およびその類似品。
【請求項３】
容器の前面に配置した容器受け皿の裏平面部にインテリア用品としての装飾効果を施した請求項１または請求項２に記載の受け皿およびその類似品。
【発明の詳細な説明】
【技術分野】
【０００１】  本発明は、観賞植物に好適な植木鉢の水受け皿およびその類似品の改良に関する。
【背景技術】
【０００２】  従来の植木鉢は、一般に鉢と水受け皿が分離しているため室外に配置していた植木鉢を室内で植物観賞する場合給水した余剰水が底部穴から流出するため、いちいち水受け皿を用意して植木鉢から流出した余剰水を収容しなければならない。このため植木鉢の底部面の広さに合った水受け皿を手配する必要があった。さらに、植木鉢底面に固定されている水受け皿は、植木鉢の転倒防止とはなるが室外での植木鉢への給水は余剰水が水受け皿に溜り、夏場等には水が腐敗して衛生上問題があった。また、テラスなどに置いた観賞植物のない植木鉢内の残培土が風に吹き飛びテラスなどを汚し、水受け皿を被せても落ちてしまい破損する問題があった。その上、水受け皿は給水した余剰水の水受けおよび植木鉢の受け台と使用用途が狭くインテリアとしての装飾効果も乏しく商品価値が低かった。このように水受け皿の使用および管理が煩雑となると植木鉢の配置にも制約が付きまとうという問題があった。【０００３】  本発明は、前記のような問題を解決するために創案されたもので、その目的とするところは、軽量かつ簡単な構造で水受け皿の配置ができる植木鉢およびその類似品を提供することにある。本発明における「植木鉢の水受け皿およびその類似品」とは、植木鉢に限定せず花瓶の受け皿および受け台、縦長筒状の受け皿および受け台、ボックス型の受け皿および受け台、カップなど容器の受け皿および受け台などをすべて含む概念である。
【発明の開示】
【課題を解決するための手段】
【０００４】  本発明は上記目的を達成するために水受け皿にアー厶を取り付けたアーム付き水受け皿を植木鉢本体側面に結合することにより植木鉢と水受け皿が一体化した構成としている。【０００５】  また、植木鉢本体側面に結合されたアームを回転移動させることにより、アームと接合している水受け皿がアームの円運動により３６０°回転する構成としている。【０００６】  また、植木鉢を収納する時は、植木鉢側面に結合されているアーム付き水受け皿が取り外しのできる構成としている。
【発明の効果】
【０００７】  上述したように本発明の移動式水受け皿は、水受け皿にアームが接合されアームと植木鉢が結合した一体化型構造なので水受け皿の管理を気にせずに植木鉢の持ち運び等の取り扱いが容易にできる。【０００８】  また、植木鉢の底面に水受け皿を配置した位置よりアー厶を下にさげ植木鉢の前側面方向または後側面方向に９０°回転させた位置に配置することにより、植木鉢の転倒防止スタンドとして使用することができる。転倒防止スタンドとして使用した水受け皿の裏平面は、一般的に単色で無機的な面で装飾効果が乏しいためシール、写真の貼着、文字、絵などをペイントすることにより開花時の花絵柄や写真、石垣や花壇の冊模様、色彩など華麗なデザインを自由に施すことができ優れた装飾効果を実現することができる。【０００９】水受け皿を植木鉢本体の上部まで回転して被せることにより植木鉢の蓋とすることで残培土の吹き飛ばしを防止することができる。また、アーム付きの蓋となるのでズレ落ち難い。
【発明を実施するための最良の形態】
【００１０】  以下、本発明の実施の形態を図１〜図１１に基づいて説明する。【００１１】    図８で示す留め具３のベルト挿入口３ａよりベルト８を挿入して、図９で示す留め具３を２個連結した留め具３付きベルト８を作成する。【００１２】    図１０においては、植木鉢本体側面部１ａに図９で示す留め具３付きベルト８を巻きマジックテープ９で固定する。【００１３】    図１１においては、図９で示す留め具３付きベルト８が装着できない場合は、図７および図８で示す留め具３を植木鉢本体側面部１ａの左右対称に接着剤などで接合する。
植木鉢本体側面部１ａに留め具３を加工した植木鉢でもかまわない。【００１４】  水受け皿４は、図３および図４と図５で示すように水受け皿側面部４ａの左右側面に２基のアーム２が接合部材５で固定されている。水受け皿４は円形状に限定はなく、角形、異形状など任意である。水受け皿４とアーム２を一体化したものでもかまわない。【００１５】  アーム平面部２ａは、アーム２が移動するためのアーム誘導路２ｂとして、図１および図２と図５と図６で示すようにアーム平面部２ａの中央部を長方形に切り抜く。【００１６】  誘導路２ｂには、水受け皿の移動を固定するために、図２および図５で示すアームストッパー２ｃとして数箇所の凹を設ける。【００１７】  図５で示すアー厶付き水受け皿を植木鉢本体１に取り付けるために、図１０および図１１で示す植木鉢本体側面部１ａに接合されている留め具３の突起部３ｂを図５で示すアーム誘導路２ｂに嵌め込み、植木鉢本体１と水受け皿４を一体化する。
【実施例１】
【００１８】  以下、上記構成の動作および実施例を説明する。アーム２を植木鉢本体１の下方向垂直に移動させて図２および図３のように植木鉢本体１の水受け皿４として使用することができる。水受け皿４として利用した位置よりアーム２を下方向に引き下げ、植木鉢本体側面部１ａ方向に９０°回転させ図１および図６のように留め具３をアームストッパー２ｃの位置に固定して植木鉢の転倒防止スタンドとして使用することができる。また、図１の実施例では転倒防止スタンドとして使用した水受け皿４の水受け皿底裏面部４ｂを装飾面６として図柄、模様を印刷あるいはシールや写真を貼着することにより、写真立て等のインテリア用品としての装飾効果を実現することができる。
【実施例２】
【００１９】  さらに、観賞植物のない場合、図１および図６で示す植木鉢の転倒防止スタンドとして利用した位置よりアー厶２を植木鉢本体頭部１ｂ方向に９０°回転させアーム２を下方向に引き下げ、図４のように水受け皿４を植木鉢本体１の蓋として使用することにより培土７の吹き飛ばしを防止することができる。また、蓋として利用した水受け皿４はアーム２で植木鉢本体側面部１ａに結合されているのでズレ落ち難い。
【図面の簡単な説明】
【００２０】
【図１】    水受け皿底裏面部を装飾面として使用した場合の外観図
【図２】    植木鉢の水受け皿として使用した場合の外観図
【図３】    植木鉢とアーム付き水受け皿の断面図
【図４】    水受け皿を植木鉢の蓋として使用した場合の断面図
【図５】    アーム付き水受け皿の外観図
【図６】    水受け皿を植木鉢の転倒防止スタンドとして使用した場合の部分断面図
【図７】    留め具の断面図
【図８】    留め具の外観図
【図９】    留め具付きベルトの外観図
【図１０】  植木鉢本体にベルト付き留め具を装着した時の外観図
【図１１】  植木鉢本体に留め具を接着した時の外観図
【符号の説明】
【００２１】  １  植木鉢本体
１ａ  植木鉢本体側面部
１ｂ  植木鉢本体頭部
１ｃ  植木鉢本体底部
１ｄ  排水口
２    アーム
２ａ  アーム平面部
２ｂ  アーム誘導路
２ｃ  アームストッパー
３    留め具
３ａ  ベルト挿入口
３ｂ  突起部
４    水受け皿
４ａ  水受け皿側面部
４ｂ  水受け皿裏面部
５    接合部材
６    装飾面
７    培土
８    ベルト
９    マジックテープ
【図１】
2005160454.tif 000003
【図２】
2005160454.tif 000004
【図３】
2005160454.tif 000005
【図４】
2005160454.tif 000006
【図５】
2005160454.tif 000007
【図６】
2005160454.tif 000008
【図７】
2005160454.tif 000009
【図８】
2005160454.tif 000010
【図９】
2005160454.tif 000011
【図１０】
2005160454.tif 000012
【図１１】
2005160454.tif 000013